【手続補正書】
【提出日】平成17年7月19日(2005.7.19)
【手続補正１】
【補正対象書類名】明細書
【補正対象項目名】特許請求の範囲
【補正方法】変更
【補正の内容】
【特許請求の範囲】
【請求項１】
一つの被検物体の像を観察するための左右一対の接眼光学系と；
前記一対の接眼光学系のうち少なくとも一方の眼側に配置され、前記被検物の像を結像する結像光学系と、前記結像光学系の像面位置に配置される結像面とを含む撮像装置とを備え；
前記撮像装置は前記少なくとも一方の接眼光学系に着脱可能に構成され；
前記一方の接眼光学系の眼側に前記撮像装置を配置したとき、前記他方の接眼光学系の眼側に配置され前記他方の接眼光学系を介して前記被検物体を照明する照明装置を備え、前記照明装置は前記他方の接眼光学系に着脱可能に構成されていることを特徴とする；
双眼顕微鏡。
【請求項２】
一つの被検物体の像を観察するための左右一対の接眼光学系と；
前記一対の接眼光学系のうち少なくとも一方の眼側に配置され、前記被検物の像を結像する結像光学系と、前記結像光学系の像面位置に配置される結像面とを含む撮像装置とを備え；
前記撮像装置は前記少なくとも一方の接眼光学系に着脱可能に構成され；
さらに、前記左右一対の接眼光学系に対応し、前記被検物体位置で交差する光軸をそれぞれ有し、前記一つの被検物体の像を結像する左右一対の対物光学系を備え；
前記左右一対の接眼光学系と、前記左右一対の対物光学系とが一体の構造物として構成され、前記一体の構造物が、前記交差する光軸を含む平面に対して直交する軸線を中心として回転可能に構成されることを特徴とする；
双眼顕微鏡。
【請求項３】
一つの被検物体の像を観察するための左右一対の接眼光学系と；
前記一対の接眼光学系のうち少なくとも一方の眼側に配置され、前記被検物の像を結像する結像光学系と、前記結像光学系の像面位置に配置される結像面とを含む撮像装置とを備え；
前記撮像装置は前記少なくとも一方の接眼光学系に着脱可能に構成され；
さらに、前記左右一対の接眼光学系に対応し、前記被検物体位置で交差する光軸をそれぞれ有し、前記一つの被検物体の像を結像する左右一対の対物光学系を備え；
前記一方の接眼光学系の眼側に前記撮像装置を配置したとき、前記他方の接眼光学系の眼側に配置され前記他方の接眼光学系を介して前記被検物体を照明する照明装置を備え、前記照明装置は前記他方の接眼光学系に着脱可能に構成されていることを特徴とする；
双眼顕微鏡。
【請求項４】
前記一方の接眼光学系の眼側に前記撮像装置を配置したとき、前記他方の接眼光学系の眼側に配置され前記他方の接眼光学系を介して前記被検物体を照明する照明装置を備え、前記照明装置は前記他方の接眼光学系に着脱可能に構成されていることを特徴とする、請求項２に記載の双眼顕微鏡。
【請求項５】
前記双眼顕微鏡における撮像方法であって、前記一体の構造物を、前記交差する光軸を含む平面に対して直交する軸線を中心として回転することにより、前記交差する光軸のうち、前記撮像装置が配置された一方の光軸を、前記被検物体を載置する載置面に対してほぼ垂直にして前記被検物体を撮像することを特徴とする、請求項２または請求項４に記載の双眼顕微鏡による撮像方法。
【手続補正２】
【補正対象書類名】明細書
【補正対象項目名】０００６
【補正方法】変更
【補正の内容】
【０００６】
【課題を解決するための手段】
上記目的を達成するために、請求項１に係る発明による双眼顕微鏡は、図３に示すように、一つの被検物体１０の像を観察するための左右一対の接眼光学系４ａ、４ｂと；一対の接眼光学系４ａ、４ｂのうち少なくとも一方（例えば４ａ）の眼側に配置され、被検物１０の像を結像する結像光学系６と、結像光学系６の像面位置に配置される結像面７とを含む撮像装置５とを備え；撮像装置５は少なくとも一方の接眼光学系（例えば４ａ）に着脱可能に構成され；一方の接眼光学系例えば４ａの眼側に前記撮像装置５を配置したとき、他方の接眼光学系４ｂの眼側に配置され他方の接眼光学系４ｂを介して被検物体１０を照明する照明装置１９を備え、照明装置１９は他方の接眼光学系４ｂに着脱可能に構成されていることを特徴とする。このときは、照明光学系で被検物体を照明することができ暗い場所での観察に適する。
【手続補正３】
【補正対象書類名】明細書
【補正対象項目名】０００９
【補正方法】変更
【補正の内容】
【０００９】
上記目的を達成するために、請求項２に係る発明による双眼顕微鏡は、図２に示すように、一つの被検物体１０の像を観察するための左右一対の接眼光学系４ａ、４ｂと；一対の接眼光学系４ａ、４ｂのうち少なくとも一方（例えば４ａ）の眼側に配置され、被検物１０の像を結像する結像光学系６と、結像光学系６の像面位置に配置される結像面７とを含む撮像装置５とを備え；撮像装置５は少なくとも一方の接眼光学系（例えば４ａ）に着脱可能に構成され；さらに、左右一対の接眼光学系４ａ、４ｂに対応し、前記被検物体１０位置で交差する光軸ＡＸ１、ＡＸ２をそれぞれ有し、一つの被検物体１０の像を結像する左右一対の対物光学系２ａ、２ｂを備え；左右一対の接眼光学系４ａ、４ｂと、左右一対の対物光学系２ａ、２ｂとが一体の構造物として構成され、前記一体の構造物が、交差する光軸ＡＸ１、ＡＸ２を含む平面に対して直交する軸線Ｘ１を中心として回転可能に構成されることを特徴とする。このとき、対物光学系２ａ、２ｂは、被検物体１０からの光を集光し、接眼光学系４ａ、４ｂと協働して像を結像する。このとき、対物光学系２ａ、２ｂは、被検体物１０からの光を集光し、接眼光学系４ａ、４ｂと協働して像を結像する。
【手続補正４】
【補正対象書類名】明細書
【補正対象項目名】００１１
【補正方法】変更
【補正の内容】
【００１１】
このように構成すると、交差する光軸を含む平面に対して直交する軸線を中心として回転可能に構成されるので、一方の光軸を被検面に垂直にすることができる。このようにすると、視野内において左右のピント差がない平坦な像を得ることができ、また回転可能とすることにより収納が楽で持ち運びの容易な双眼顕微鏡を実現できる。
【手続補正５】
【補正対象書類名】明細書
【補正対象項目名】００１２
【補正方法】変更
【補正の内容】
【００１２】
上記目的を達成するために、請求項３に係る発明による双眼顕微鏡は、図３に示すように、一つの被検物体の像を観察するための左右一対の接眼光学系４ａ、４ｂと；一対の接眼光学系４ａ、４ｂのうち少なくとも一方例えば４ａの眼側に配置され、被検物１０の像を結像する結像光学系６と、結像光学系６の像面位置に配置される結像面７とを含む撮像装置５とを備え；撮像装置５は前記少なくとも一方の接眼光学系例えば４ａに着脱可能に構成され；さらに、左右一対の接眼光学系４ａ、４ｂに対応し、被検物体１０の位置で交差する光軸ＡＸ１、ＡＸ２をそれぞれ有し、一つの被検物体１０の像を結像する左右一対の対物光学系２ａ、２ｂを備え；一方の接眼光学系例えば４ａの眼側に前記撮像装置５を配置したとき、他方の接眼光学系４ｂの眼側に配置され前記他方の接眼光学系４ｂを介して被検物体１０を照明する照明装置１９を備え、照明装置１９は前記他方の接眼光学系４ｂに着脱可能に構成されていることを特徴とする。このときは、照明光学系で被検物体を照明することができ暗い場所での観察に適する。
【手続補正６】
【補正対象書類名】明細書
【補正対象項目名】００１３
【補正方法】変更
【補正の内容】
【００１３】
さらに、請求項４に記載のように、請求項２に記載の双眼顕微鏡では、一方の接眼光学系例えば４ａの眼側に撮像装置５を配置したとき、他方の接眼光学系４ｂの眼側に配置され該他方の接眼光学系４ｂを介して被検物体１０を照明する照明装置１９を備え、照明装置１９は該他方の接眼光学系４ｂに着脱可能に構成されていることを特徴としてもよい（図３）。このときは、照明光学系で被検物体面を照明することができ暗い場所での観察に適する。
【手続補正７】
【補正対象書類名】明細書
【補正対象項目名】００１４
【補正方法】変更
【補正の内容】
【００１４】
また、請求項５に記載のように、請求項２または請求項４に記載の双眼顕微鏡を用いた撮像方法であって、前記一体の構造物を、交差する光軸ＡＸ１、ＡＸ２を含む平面に対して直交する軸線Ｘ１を中心として回転することにより、交差する光軸ＡＸ１、ＡＸ２のうち、撮像装置５が配置された一方の接眼光学系に対応する対物光学系の光軸（例えばＡＸ１）を、被検物体１０を載置する載置面１ａに対してほぼ垂直にして被検物体１０を撮像することを特徴としてもよい。